(57)【要約】【課題】廃棄物不法投棄防止効果の高い廃棄物情報管理システムを提供する。【解決手段】処理施設４により処理されるべき医療廃棄物１２についての出所および取扱い業者とこの取扱い業者による引取日を示す情報を少なくとも含む廃棄物情報を当該処理施設にて収集し記録する処理施設システム５と、この処理施設システムからの上記廃棄物情報をインターネット１０を介して収集し管理する一方、提供する情報センターシステム３と、を具備している。【選択図】  図１
2005066458.tif 000002
【特許請求の範囲】
【請求項１】
処理施設により処理されるべき廃棄物についての出所および取扱い業者とこの取扱い業者による引取日を示す情報を少なくとも含む廃棄物情報を当該処理施設にて収集し記録する処理施設システムと、
この処理施設システムからの上記廃棄物情報を電気通信網を介して収集し管理する一方、提供する情報センターシステムと、
を具備していることを特徴とする廃棄物情報管理システム。
【請求項２】
上記処理施設システムは、上記廃棄物が収容された廃棄物収納容器に装着されこの廃棄物についての上記廃棄物情報が無線通信により読取可能に記録されたＩＣタグから当該廃棄物情報を読み取るＩＣタグリーダを、
具備していることを特徴とする請求項１記載の廃棄物情報管理システム。
【請求項３】
上記ＩＣタグリーダの少なくとも１つは、上記ＩＣタグを装着した廃棄物収納容器を処理装置に不可逆的に投入する投入路に配設されていることを特徴とする請求項２記載の廃棄物情報管理システム。
【請求項４】
廃棄物の出所である排出事業者を記録した排出事業者ＩＣタグカードと、廃棄物の取扱い業者の一部である収集運搬業者を記録した収集運搬業者ＩＣタグカードと、から少なくとも排出事業者と収集運搬事業者とをそれぞれ示す情報を読み取る一方、これら読み取った情報を上記排出事業者から廃棄物を引き取った引き取り日を入力して上記ＩＣタグに書き込むリーダライタを、
を具備していることを特徴とする請求項２または３記載の廃棄物情報管理システム。
【請求項５】
上記リーダライタは、ＩＣタグに書き込む情報を暗号化する暗号化手段を、
具備していることを特徴とする請求項２〜４のいずれか１項に記載の廃棄物情報管理システム。
【請求項６】
上記リーダライタは、少なくとも上記排出事業者および収集運搬業者と廃棄物引き取り日を含む廃棄物情報を無線通信機により上記電気通信網を介して上記情報センターシステムに送信する送信手段を、
具備していることを特徴とする請求項４または５に記載の廃棄物情報管理システム。
【請求項７】
上記ＩＣタグは、ＩＣチップとアンテナとを有し、そのＩＣチップ側端部とその反対側のアンテナ側端部とを接着剤により上記廃棄物収納容器の底部にそれぞれ固着されていることを特徴とする請求項４または５記載の廃棄物情報管理システム。
【請求項８】
上記ＩＣタグは、その外表面に、連続番号を付していることを特徴とする請求項２〜７のいずれか１項に記載の廃棄物情報管理システム。
【請求項９】
上記廃棄物が医療廃棄物であることを特徴とする請求項１〜８のいずれか１項に記載の廃棄物情報管理システム。
【発明の詳細な説明】
【技術分野】
【０００１】
本発明は廃棄物を収納した収納容器が処理装置に投入されたことを検出することにより廃棄物の不法投棄の防止を図った廃棄物情報管理システムに関する。
【背景技術】
【０００２】
従来、廃棄物の不法投棄を図ったシステムとしては、廃棄物運搬車両の位置をＧＰＳ（Global Positioning System）衛星を使用して追跡検知する一方、この廃棄物運搬車両に取付けたＩＤタグを最終処分場の進入路に設けたＩＤタグ読取機により読み取ることにより監視し、廃棄物の不法投棄の防止を図ったものがある（例えば特許文献１，２参照）。
【特許文献１】特開２００２−２６５００４号公報
【特許文献１】特開２００１−１８８９９７号公報
【発明の開示】
【発明が解決しようとする課題】
【０００３】
しかしながら、このような従来のシステムでは、廃棄物運搬車両を追跡検知するので、廃棄物運搬車両の運搬ルート等を検知することができるものの、廃棄物自体の移動を追跡検知していないので、廃棄物自体の不法投棄を防止する効果が低いという課題がある。
【０００４】
また、廃棄物運搬車両に取付けたＩＤタグを最終処分場の進入路に設けたＩＤタグ読取機により読み取るので、この廃棄物運搬車両が最終処分場に進入したことを検知することができるものの、この廃棄物運搬車両に積載されている廃棄物自体を検知していないので、やはり廃棄物自体の不法投棄を防止する効果が低いという課題がある。
【０００５】
本発明はこのような事情を考慮してなされたもので、その目的は、廃棄物不法投棄防止効果の高い廃棄物情報管理システムを提供することにある。
【課題を解決するための手段】
【０００６】
本願請求項１に係る発明は、処理施設により処理されるべき廃棄物についての出所および取扱い業者とこの取扱い業者による引取日を示す情報を少なくとも含む廃棄物情報を当該処理施設にて収集し記録する処理施設システムと、この処理施設システムからの上記廃棄物情報を電気通信網を介して収集し管理する一方、提供する情報センターシステムと、を具備していることを特徴とする廃棄物情報管理システムである。
【０００７】
本願請求項２に係る発明は、上記処理施設システムは、上記廃棄物が収容された廃棄物収納容器に装着されこの廃棄物についての上記廃棄物情報が無線通信により読取可能に記録されたＩＣタグから当該廃棄物情報を読み取るＩＣタグリーダを、具備していることを特徴とする請求項１記載の廃棄物情報管理システムである。
【０００８】
本願請求項３に係る発明は、上記ＩＣタグリーダの少なくとも１つは、上記ＩＣタグを装着した廃棄物収納容器を処理装置に不可逆的に投入する投入路に配設されていることを特徴とする請求項２記載の廃棄物情報管理システムである。
【０００９】
本願請求項４に係る発明は、廃棄物の出所である排出事業者を記録した排出事業者ＩＣタグカードと、廃棄物の取扱い業者の一部である収集運搬業者を記録した収集運搬業者ＩＣタグカードと、から少なくとも排出事業者と収集運搬業者とをそれぞれ示す情報を読み取る一方、これら読み取った情報を上記排出事業者から廃棄物を引き取った引き取り日を入力して上記ＩＣタグに書き込むリーダライタを、を具備していることを特徴とする請求項２または３記載の廃棄物情報管理システムである。
【００１０】
本願請求項５に係る発明は、上記リーダライタは、ＩＣタグに書き込む情報を暗号化する暗号化手段を、具備していることを特徴とする請求項２〜４のいずれか１項に記載の廃棄物情報管理システムである。
【００１１】
本願請求項６に係る発明は、上記リーダライタは、少なくとも上記排出事業者および収集運搬業者と廃棄物引き取り日を含む廃棄物情報を無線通信機により上記電気通信網を介して上記情報センターシステムに送信する送信手段を、具備していることを特徴とする請求項４または５に記載の廃棄物情報管理システムである。
【００１２】
本願請求項７に係る発明は、上記ＩＣタグは、ＩＣチップとアンテナとを有し、そのＩＣチップ側端部とその反対側のアンテナ側端部とを接着剤により上記廃棄物収納容器の底部にそれぞれ固着していることを特徴とする請求項４または５記載の廃棄物情報管理システムである。
【００１３】
本願請求項８に係る発明は、上記ＩＣタグは、その外表面に、連続番号を付していることを特徴とする請求項２〜７のいずれか１項に記載の廃棄物情報管理システムである。
【００１４】
本願請求項９に係る発明は、上記廃棄物が医療廃棄物であることを特徴とする請求項１〜８のいずれか１項に記載の廃棄物情報管理システムである。
【発明の効果】
【００１５】
本発明によれば、廃棄物の不法投棄を防止する効果を向上させることができる。
【発明を実施するための最良の形態】
【００１６】
以下、本発明の実施形態を添付図面に基づいて説明する。なお、これら添付図面中、同一又は相当部分には同一符号を付している。
【００１７】
図１は本発明の一実施形態に係る廃棄物情報管理システムのほぼ全体を示すシステム構成図、図５は主に処理施設システムの構成を平面図で示すシステム構成図、図６はその処理施設システムの構成を側面図で示すシステム構成図である。
【００１８】
これらの図において廃棄物情報管理システム１は、マネージメント運営組織２等に設置される情報センターシステム３と、廃棄物処理工場等の処理施設４に設置される処理施設システム５と、収集運搬業者６の廃棄物収集運搬担当者等により携帯されるＩＣタグのリーダライタ７およびウェブ機能対応型の携帯電話器８等を具備している。
【００１９】
マネージメント運営組織２は廃棄物の一例である医療廃棄物を排出する排出事業者の一例であって、廃棄物の出所となる病院や医院等の医療施設９と、この医療施設９から排出される医療廃棄物を収集運搬する収集運搬業者６と、その医療廃棄物を焼却処分や埋立処分等の処理を行う処理施設４との間で、収集運搬契約や処理契約等の業務提携契約を予め締結しておき、この医療施設９から医療廃棄物の引き取り依頼を受けたときに、その引き取り依頼を予め契約してある廃棄物取扱い業者である収集運搬事業者６と処理施設４に伝達し、各々の業務遂行を促す機関である。
【００２０】
このマネージメント運営組織２は、情報センターシステム３を設置しており、この情報センターシステム３はセンターサーバ３ａを備えている。このセンターサーバ３ａは電気通信網の一例であるインターネット１０に接続されており、マネージメント運営組織２で運営する廃棄物処理用のウェブページを開設している。センターサーバ３はこのＷｅｂページを介して医療廃棄物等廃棄物の引き取り依頼を受諾する引き取り依頼受諾手段、引き取り依頼転送手段、廃棄物処理完了等廃棄物処理状況を示す情報を提供する廃棄物処理状況情報提供手段を有する。
【００２１】
すなわち、引き取り依頼受諾手段は医療施設９等の排出事業者がこの廃棄物処理用ウェブページにアクセスして医療施設９のアカウント情報や医療廃棄物の引き取り日時、数量等、廃棄物処理に必要な情報を入力したときに、この依頼を受信し、その医療廃棄物の引き取り依頼を受諾する回答を電子メールやＦＡＸ等で医療施設９に回答する手段である。但し、引き取り依頼は電話や電子メールでも受諾できる。
【００２２】
引き取り依頼転送手段は引き取り依頼受諾手段により廃棄物引き取りの依頼を受諾したときに、マネージメント運営組織２と予め業務提携契約を締結済みの収集運搬業者６と処理施設４とに、当該引き取り依頼とその受諾した旨とを転送する手段である。
【００２３】
廃棄物処理状況情報提供手段は引き取り依頼を受けた医療廃棄物の処理状況、例えば処理未了や完了等がウェブページを介してまたは電子メールにより医療施設９に提供する手段である。これら各手段はセンターサーバ３ａにインストールされた各ソフトウエアとこのソフトウエアを実行するＣＰＵなどのハードウェア資源との共働により実行される。
【００２４】
上記廃棄物引き取り依頼の転送を受けた収集運搬業者６は、その担当者１１をその引き取り依頼で指示された日時場所にトラックＴにより派遣させる。ここで収集運搬業者６の担当者１１は医療廃棄物１２を医療施設９の担当者から引き取る。医療廃棄物１２としては注射針、医療用チューブ、薬びん、紙おむつ等がある。
【００２５】
この医療廃棄物１２の引き取りの際に、収集運搬業者６の担当者１１は身分証明書（ＩＤ）である自己のＩＣタグ付のＩＤカード１１ａと、医療施設９側の担当者のＩＣタグ付ＩＤカード９ａとを相互に見せ合って担当者であることを確認する。この後、これら両ＩＤカード９ａ，１１ａから各担当者コード、排出事業者コード、収集運搬業者コードをＩＣタグ用リーダーライタ７によりそれぞれ読み取ると共に、このリーダライタ７の図示しない入力手段の入力操作により医療廃棄物１２の引き取り日時を入力し、これら情報を廃棄物情報として記録する一方、暗号化してＩＣタグ付収納容器１３の図２で示す小型薄形のカード状のＩＣタグ１４に無線通信により書き込む。図２に示すようにＩＣタグ１４は無線通信機能と廃棄物情報を読み書き可能に記録する読み書き機能を有するＩＣチップ１４ａと、その矩形ループ状のアンテナ１４ｂとを具備し、これらＩＣチップ１４ａとアンテナ１４ｂをカード状の電気絶縁体内に埋設している。このカード状のＩＣタグ１４の外面には予め連続番号が刻印または印字されている。この連続番号は排出事業者や処理業者６等、廃棄物処理の追跡に必要な情報であって、予め判明している情報に対応されている。
【００２６】
図３に示すようにＩＣタグ付収納容器１３は、その内部に医療廃棄物１２を収容して上蓋１３ａを一旦閉じると、この上蓋１３ａが二度と開かないように構成されている。この為に、収納容器１３内に医療廃棄物１２を一旦収納した後は、再び医療廃棄物１２を外部へ取り出せないので、医療廃棄物１２の不法投棄を未然に防止することができる。
【００２７】
また、収納容器１３は、その底部外面に凹部１３ｂを形成し、この凹部１３ｂ内には、ＩＣタグ１４を接着剤１５ａ、１５ｂにより固着し、底蓋１３ｃにより閉じている。
【００２８】
図２、図４に示すようにＩＣタグ１４は、そのＩＣチップ１４ａ側端部とその図２中左右方向反対側に位置するアンテナ１４ｂ側の一端部とに接着剤１５ａ，１５ｂをそれぞれ塗布して凹部１３ｂの図中上面に局所的に固着されている。
【００２９】
このために、ＩＣチップ１４ａ側端部とアンテナ１４ｂ側端部との間の中間部には接着剤１５ａ，１５ｂが塗布されていないので、このＩＣタグ１４を持って凹部１３ｂから外部へ取り出し、記録されている廃棄物情報を改竄するために無理に外力を加えると、例えば図２の折線で示すように接着剤１５ａ，１５ｂが付着していない中間部でＩＣタグ１４が破損するようになっている。
【００３０】
したがって、ＩＣタグ１４に記録された廃棄物情報の改竄を防止することができる。
【００３１】
このようにして、リーダライタ７により廃棄物情報を収納容器１３のＩＣタグ１４に書き込んだ後は、収集運搬業者６の担当者１１がリーダライタ７を所要操作することにより、このリーダライタ７から受取書１５を排出事業者である医療施設９の担当者に発行する。この受取書には医療廃棄物の引き取り日を含む上記廃棄物情報が記載されている。
【００３２】
図５は処理施設４の主に上記処理システム５を平面図で示すシステム構成図、図６は処理システム５を側面図で示すシステム構成図である。
【００３３】
これら図５、図６に示すように、処理施設４は、処理システム５と、医療廃棄物１２を収容した収納容器１３と共に焼却処分する焼却炉４ａと、この焼却炉４ａへ搬送するベルトコンベア装置からなる搬送路４ｂと、読取不能物選別装置４ｃとを具備している。
【００３４】
焼却炉４ａは、図示しない投入装置と廃棄物を焼却する焼却炉本体とを備えている。投入装置は焼却炉本体の上流側、すなわち焼却炉４ａの入側に設置され、搬送路４ｂから収納容器１３を受け取って焼却炉本体に投入するものである。
【００３５】
搬送路４ｂは、焼却炉４ａの投入装置に連係される下流端部４ｄを、特に焼却炉４ａへ収納容器１３を搬送投入する一方向のみに駆動し、その逆方向に搬送しないように不可逆的な投入路に構成している。搬送路４ｂはその搬送方向中間部にて平面コ字状の迂回搬送路４ｅを並設し、搬送方向中間部から分岐して搬送路４ｂの上流側へ戻すように構成している。
【００３６】
処理システム５は、搬送路４ｂにおける迂回搬送路４ｅの分岐部の上流側の底部と、上記下流端部４ｄとに、ＩＣタグ１４のリーダであるパネル状の事前リーダ５ａと処理確定リーダ５ｂとをそれぞれ配設している。処理確定リーダ５ｂは、搬送路下流端部４ｄの上下左右両側面の四方面を覆う、例えば、角筒状ＩＣタグリーダであるトンネルリーダに構成されている。すなわち、処理確定リーダ５ｂは搬送路下流端部４ｄの下方に設けた底部リーダ５ｂ１と、搬送路下流端部４ｄ上の左右両側面と上方とに設けたリーダ５ｂ２，５ｂ３，５ｂ４を備えている。但し、処理確定リーダ５ｂは上下左右の各リーダ５ｂ１〜５ｂ４のいずれか１つでもよく、これらを適宜組み合せてもよい。
【００３７】
また、処理施設４の図示しない入門ゲートまたは受付の前または後にＩＣタグ１４のリーダである受付リーダ５ｃを配設している。これら各リーダ５ａ，５ｂ，５ｃは、収納容器１３の底部に設けたＩＣタグ１４に非接触でアクセスして無線通信で給電する一方、このＩＣタグ１４に記録されている廃物情報を読み込み、その読み込んだ情報を記録端末であるコンピュータの管理端末５ｅに無線又は有線通信により与えるリーダである。
【００３８】
管理端末５ｅはこれらリーダ５ａ〜５ｃによりそれぞれ時系列に読みこまれた収納容器１３のＩＣタグ１４の廃棄物情報や読み込み日時を記録する一方、これら記録した情報をインターネット１０を介してセンターサーバ３ａへ送信する機能を有する。
【００３９】
また、事前リーダ５ａの出力側には、読取不能物選別装置４ｃを接続している。読取不能物選別装置４ｃは出没自在の押し板を備えており、搬送路４ｂの途中、例えば搬送方向中間部の側方に設けた、迂回搬送路４ｅの入口側の反対側に配設されている。読取不能物選別装置４ｃは事前リーダ５ａにより読み取ることができなかったときに出力される読取エラー信号を受信したときに、押し板を突出させてＩＣタグ１４を付した搬送中の収納容器１３の側面を側方に押して、搬送路４ｂから迂回搬送路４ｅ側へ押出し、搬送路４ｂの上流側へ戻し、係員によりＩＣタグ１４の汚れや破損等を目視チェックさせるように構成されている。
【００４０】
次にこの廃棄物情報管理システム１の作用を説明する。
【００４１】
図１に示すように、マネージメント運営組織２が排出事業者である医療施設９から医療廃棄物１２の引き取り依頼を、電話や電子メール、ＦＡＸ、またはＷｅｂページ等、所要の連絡手段により受けると、この引き取り依頼を受諾する回答を所要の通信手段により医療施設９に連絡する一方、この引取り依頼を、予め業務提携契約を締結している複数の収集運搬事業者６と処理施設４に、電話や電子メール、ＦＡＸ、またはＷｅｂページ等、所要の通信ないし連絡手段により転送する。
【００４２】
なお、この引き取り依頼の受付け、その受諾ないしその転送は、センターサーバ３ａにより自動的に行なうこともできる。すなわち、医療施設９側でマネージメント運営組織２の廃棄物処理のＷｅｂページにアクセスし、このＷｅｂページに引き取りに必要な情報やアカウント情報など所要の情報を入力したときに、その引き取り依頼をセンターサーバ３ａにより受付けるとともに、受諾し、その受諾回答を医療施設９に電子メールまたはＦＡＸで送信し、さらに、これら引取り依頼と受諾回答を、予め業務提携契約を締結している複数の収集運搬業者６と処理施設４とに、自動的に電子メールで転送させることができる。
【００４３】
この引き取り依頼の転送を受けた複数の収集運搬業者６と処理施設５の中で、その引き取り依頼を受諾した収集運搬業者６と処理施設５はその依頼を引受けたものとして、当該収集運搬業者６の担当者は、この時点で判明している医療廃棄物１２に関する廃棄物情報を、図示しないＩＣタグライターによりＩＣタグ１４に書き込み、このＩＣタグ１４を収納容器１３の底部凹部１３ａに接着剤１５ａ、１５ｂにより固着し、この底部凹部１３ａに底蓋１３ｃを嵌め込み、閉じる。こうしてＩＣタグ１４を付した所要数の空の収納容器１３をトラックＴなどの車両に積載して医療施設９の指定場所に赴く。
【００４４】
ここで、収集運搬業者６の担当者１１は、医療施設９の担当者から医療廃棄物１２を引き取る。その引取りの際には、自己のＩＣタグ付ＩＤカード１１ａと医療施設９の担当者９ａと相互に見せ合い、相互の身分を明らかにするとともに、これらのＩＤカード９ａ、１１ａに電子的に記録されている少なくとも各担当者コード、排出事業者コード、収集運搬業者コードを携帯型のリーダライタ７により読み込み、リーダライタ７には、引き取り日を入力する。
【００４５】
また、この読み込んだ廃物情報と引き取り日をリーダライタ７により暗号化して収納容器１３のＩＣタグ１４に書き込み、次にこの収納容器１３内に医療廃棄物１２を収容して上蓋１３ａを閉じる。上蓋１３ａは一旦閉じると、二度と開かない構造に構成されているので、上蓋１３ａを閉じた後、医療廃棄物１２のみを収納容器１３から外部へ取り出して不法投棄するのを未然に防止することができる。
【００４６】
なお、収納容器１３の上蓋１３ａを閉じたときに、この上蓋１３ａを所要の帯封により封印してもよく、この場合でも上蓋１３ａを違法に開けたときに封印が破られるので、不法投棄を防止できる。
【００４７】
しかる後に、リーダライタ７から受取書１５を発行して医療施設９の担当者へ交付し、医療廃棄物の引き取りの事実を受取書１５により証明する。
【００４８】
またリーダライタ７にＷｅｂ機能を有する携帯電話器８を接続し、上記引き取り日を含む廃棄物情報を携帯電話器８によりインターネット１０を介して情報センターシステム３のセンターサーバ３ａに送信し、記録管理させる。
【００４９】
この後、収集運搬業者６の担当者１１はこの医療廃棄物１２を収容したＩＣタグ１４付の収納容器１３をトラックＴに積載して処理施設４へ行き、図示しない入門ゲートまたは受付を通過する際に、収納容器１３のＩＣタグ１４に記録されている廃物情報から管理端末５ｅに送信され、記録される。
【００５０】
この後、ＩＣタグ１４付収納容器１３はその底部を下にして搬送路４ｂ上に載せて焼却炉４ａへ搬送される。ここで、収納容器１３のＩＣタグ１４はまず事前リーダ５ａにより読み取られるが仮にＩＣタグ１４の汚れや破損等により事前リーダ５ａがＩＣタグ１４の廃物情報を読み取ることができないときは、事前リーダ５ａから読取エラー信号が読取不能選別装置４ｃと図示しないアラームに与えられる。すると、アラームが読取エラーをブザー等により警報する一方、読取不能選別装置４ｃは読み取ることができなかったＩＣタグ１４を装着した搬送中の収納容器１３の側面を側方へ押して迂回搬送路４ｅ側へ押出し、分流させる。
【００５１】
係員はこの迂回搬送路４ｅ側へ分流された収納容器１３とＩＣタグ１４を目視で点検し、ＩＣタグ１４が汚れているときには、その汚れを除去して再び搬送路４ｂ側へ戻す。
【００５２】
しかる後に、収納容器１３が焼却炉４ａ直前の搬送路下流端部４ｄに到達すると、トンネル形の処理確定リーダ５ｂにより収納容器１３のＩＣタグ１４がその上下左右の四方面から読み取られる。このために、万が一収納容器１３が上下または左右に転倒していてもＩＣタグ１４の廃物情報を確実に読み取ることができる。
【００５３】
この処理確定リーダ５ｂにより読み取られた廃物情報も、管理端末５ｅに送信され、記録される。この処理確定リーダ５ｂは、収納容器１３を焼却炉４ａ内へ投入する一方向のみに搬送し、その逆方向には搬送しないように不可逆的に構成された搬送路４ｂの下流端部４ｄにてＩＣタグ１４を読み取るので、この搬送路４ｂの下流端部４ｄにてＩＣタグ１４の廃棄物情報を読み取ったことは、この後、焼却炉４ａ内に投入されて焼却処分された医療廃棄物１２の処理完了を読み取ったこととほぼ同視できるので、処理完了情報として管理端末５ｅに与えられる。
【００５４】
なお、図５，６で示す焼却炉４ａは主に焼却炉４ａの投入装置を図示している。すなわち、この投入装置は搬送路下流端部４ｄから収納容器１３を受け入れた後、この収納容器１３を図６中大矢印で示す下方に案内して焼却炉本体内に投入してＩＣタグ１４と共に収納容器１３を焼却させるようになっている。
【００５５】
そして、これら処理システム５の各リーダ５ａ〜５ｃにより読み取られた廃棄物情報および処理完了情報は管理端末５ｅからインターネット１０を介してセンターサーバ３ａに送信され、ここで記録管理される。また、このセンターサーバ３ａには、リーダライタ７からも医療廃棄物の引き取り日（または日時）の廃棄物情報が送信され、記録管理されているので、各医療廃棄物１２の排出から処理完了までの移動軌跡ないし経緯を記録し管理することができる。このために、医療廃棄物１２の引渡し依頼から処理完了までの移動軌跡を追跡できる。
【００５６】
したがって、センターサーバ３ａは医療廃棄物１２の処理完了情報を受信したときは、その引取りを依頼した医療施設９に対して当該医療廃棄物１２の処理完了情報を電子メールやファクシミリ等所要手段により自動的に送信する。
【００５７】
また、センターサーバ３ａはその情報提供手段により処理システム５からの廃棄物情報や処理完了情報を受けて、各医療廃棄物１２の処理状況をＷｅｂページにリアルタイムで記録し、閲覧させることができる。
【００５８】
したがって、医療廃棄物１２の引取りを依頼した依頼者はマネージメント運営組織２の廃棄物処理ページを閲覧することにより、自己の排出した医療廃棄物１２の処理状況ないし経緯を随時リアルタイムで知ることができる。
【００５９】
そして、本実施形態によれば、医療廃棄物１２を、一旦上蓋１３ａを閉じると、ほぼ二度と開かないＩＣタグ付収納容器１３内に密封し、その収納容器１３ごと医療廃棄物１２を焼却処分するので、収納容器１３から医療廃棄物１２のみを取り出して不法投棄するのを防止することができる。
【００６０】
また、医療廃棄物１２を収納容器１３内に密封するので、衛生的であり、この医療廃棄物１２を取り扱う収集運搬業者６や処理施設４の担当者への病気感染等健康被害も防止できる。
【００６１】
さらに、収集運搬業者６が医療廃棄物１２を引き取る際は、医療施設９の担当者と収集運搬業者６の担当者１１が相互に身分証明書のＩＣタグ付ＩＣカード９ａ，１１ａを見せ合い確認するので、本人なりすましを防止できるうえに、これらＩＣタグ付ＩＣカード９ａ，１１ａに電子的に記録されている各担当者コード、排出事業者コード、収集運搬業者コードをリーダライタ７により読み込み、収納容器１３に装着されているＩＣタグに暗号化して書き込むので、その書き込みデータの改竄を防止することができる。
【００６２】
また、図４に示すようにＩＣタグ１４を、そのチップ１４ａ側端部とその反対側のアンテナ１４ｂ側の一端部とに、これら両者間に所要の間隔を置いて接着剤１５ａ，１５ｂをそれぞれ塗布して収納容器１３の底部凹部１３ｂ内に固着しているので、このＩＣタグ１４を収納容器１３から除去して記録情報を改竄するために無理な外力を加えると、図２に示すようにＩＣタグ１４がそのチップ１４ａ側端部とその反対側のアンテナ１４ｂの他端部との中間部で破壊ないし破損されるので、ＩＣタグ１４の情報の改竄を防止することができる。
【００６３】
また、ＩＣタグ１４の外表面には、排出事業者や収集運搬業者、処理業者の少なくともいずれか等、重要な情報に対応させた管理用の所要桁の連続番号を刻印や印字等により付しているので、仮にＩＣタグ１４の電子データが何らかの理由により破壊された場合でも、この連続番号からこれに対応している重要な情報を知ることができる。
【００６４】
そして、処理施設システム５の処理確定リーダ５ｂは焼却炉４ａに投入される直前であって、その投入が殆ど阻止されることがない段階であり、しかも、殆ど処理完了と同視できる時点で、医療廃棄物１２が収容されている収納容器１３のＩＣタグ１４の廃棄物情報を読み込むので、不法投棄を防止し得る効果を著しく向上させることができる。
【００６５】
また、センターサーバ３ａは、医療廃棄物１２の引取り日（または日時）と、処理施設システム５にて廃棄物情報を取得しなかった時に、それらの引取り時や廃棄物情報、処理完了情報をリアルタイムで収集し、記録管理するので、医療廃棄物１２の引取りから処理完了までの各種情報をリアルタイムで管理することができ、かつ依頼者等に随時提供することができる。
【００６６】
図７は収納容器１３の底部凹部１３ｂにＩＣタグ１４を固着する場合の他の例を示している。これはＩＣタグ１４の一端部、例えばＩＣチップ１４ａ側端部を収納容器１３の凹部１３ａの底面に、接着剤１５ｃにより固着する一方、このＩＣチップ１４ａの反対側端部を底蓋１３ｃの内面に接着剤１５ｄにより固着している点に特徴がある。この場合もＩＣチップ１４ａ側端部とその反対側のアンテナ１４ｂ側端部との間に接着剤を塗布していないので、底蓋１３ｃを取り外したときには、ＩＣタグ１４をそのＩＣチップ側端部とその反対側のアンテナ１４ｂ側端部との間で破損させることができる。このために、ＩＣタグ１４の電子情報の改竄を防止することができる。
【００６７】
なお、上記実施形態では、廃棄物が医療廃棄物である場合について説明したが、本発明はこれに限定されるものではなく、廃棄物一般に適用することができる。例えばＰＣＢを使用した部品、煤塵、感染性一般廃棄物等の特別管理一般廃棄物、および、廃油、廃酸、廃アルカリ、感染性産業廃棄物、特定有害産業廃棄物等の特別管理産業廃棄物の廃棄物に適用することができる。
【００６８】
また、医療廃棄物１２の引取り現場で収集運搬業者６の担当者１１の本人確認を行なう場合は、センターサーバ３ａからその日のみ有効な２次元認証バーコードを収集運搬業者６の担当者１１と医療施設９の担当者の各携帯電話器にそれぞれ送信する。収集運搬業者６の担当者１１はこの受信した２次元認証バーコードを携帯電話器の画面に表示し、これを医療施設９の担当者に見せてバーコードリーダにより読み込ませる。医療施設９の担当者は自己の携帯電話器により受信した認証バーコードと照合し、その一致を確認したときに、収集運搬業者６の担当者１１を確認することができる。また、収集運搬業者６の担当者１１が認証コードの受信をセンターサーバ３ａに転送することにより、センターサーバ３ａでは、その担当者１１が医療廃棄物１２を引き取った日時を記録し、管理することができる。
【図面の簡単な説明】
【００６９】
【図１】本発明の一実施形態に係る廃棄物情報管理システムのシステム構成図。
【図２】図１で示す収納容器に装着される電気絶縁体を図示省略したＩＣタグ本体の正面図。
【図３】図１で示す収納容器の拡大正面図。
【図４】図３のＩＶ部拡大縦断面図。
【図５】図１で示す主に処理施設システムを平面図で示すシステム構成図。
【図６】図５で示す処理施設システムの側面図。
【図７】図４で示すＩＣタグを収納容器に固着する方法の他の例を示す要部拡大縦断面図。
【符号の説明】
【００７０】
１  廃棄物情報管理システム
３  情報センターシステム
３ａ  センターサーバ
４  処理施設
４ｂ  搬送路
４ｄ  搬送路下流端部
５  処理施設システム
５ａ  事前リーダ
５ｂ  処理確定リーダ
５ｃ  受付リーダ
６  収集運搬業者
７  リーダライタ
８  携帯電話器
９  医療施設
９ａ  医療施設担当者のＩＤタグ付ＩＣカード
１１ａ  収集運搬業者の担当者のＩＤタグ付ＩＣカード
１２  医療廃棄物
１３  ＩＣタグ付収納容器
１４  ＩＣタグ
１４ａ  ＩＣチップ
１４ｂ  アンテナ
１５ａ，１５ｂ，１５ｃ，１５ｄ  接着剤
【図１】
2005066458.tif 000003
【図２】
2005066458.tif 000004
【図３】
2005066458.tif 000005
【図４】
2005066458.tif 000006
【図５】
2005066458.tif 000007
【図６】
2005066458.tif 000008
【図７】
2005066458.tif 000009